(57)【要約】【技術課題】  ジッパー付ピロー包装袋において、ジッパーが介在するサイドノッチシール部の密封性を安定的に確保して品質の信頼性を得ること。【解決手段】  ジッパ４のベーステープ６、７において、サイドノッチシール１２に対応する位置にポイントシール１０を施し、その上でサイドノッチシール１２を行う。  このようにすると、サイドノッチシール１２部分は袋１のトップシール１ａの２枚に対してフィルムの枚数は４枚となるが、２枚のトップシール１ａと一緒にヒートシールした際に、密封性をこのポイントシール部１０が確保するため、サイドノッチシール１２部分において密封性の不安はなくなる。【選択図】  図１
2014069880.tif 000002
【特許請求の範囲】
【請求項１】
合掌張シール部分を袋の裏面においてその中央に位置させると共に前記合掌張シールの先端縁に沿って易開封手段を設け、かつ
前記合掌張シール部分を一方に倒して袋の外面フィルムに全面もしくは、前記易開封手段を間において又は易開封手段を含めてその上下を部分的にヒートシールを行い、かつ
前記合掌張シールが倒された方向の袋の側端にサイドノッチシール部を形成し、このサイドノッチシール部に前記合掌張シール方向に向けてＶ又はＩノッチ等の切り裂き手段を設け、
前記合掌張シールの先端縁に沿って設けた易開封手段と袋の側端縁に形成したサイドノッチシール部が位置する袋の内幅内にジッパーを挿入し、このジッパーのベーステープ部分をそれぞれ袋の内面にヒートシールすると共に、
前記ベーステープの上縁とジッパーの嵌合部間には、前記切り裂き手段から易開封手段が施された合掌張シール部分を横断し、袋の反対側の側端に至るようにカットすることができる直線カット手段が設けられていることを特徴とするジッパー付ピロー包装袋において、
前記ジッパーには、前記サイドノッチシール部に対応する位置に、あらかじめオス条側とメス条側のベーステープを互いにシールしたポイントシール部が形成されていること、
前記切り裂き手段は、サイドノッチシール部において前記ベーステープのポイントシール部分にかかるように設けられていること、
を特徴とするジッパー付ピロー包装袋。
【請求項２】
前記ジッパーのポイントシール部にかかるように引き裂き手段を設け、この引き裂き手段を設けた袋側には前記サイドノッチシールを施こさないこと、を特徴とする請求項１に記載のジッパー付ピロー包装袋。
【請求項３】
前記ポイントシール部をベーステープの左右の両端に設けると共にこの左右の両端に設けたポイントシール部にサイドノッチシール部を設けて袋の外観上その左右のバランスをとるように構成したこと、を特徴とする請求項１又は２に記載のジッパー付ピロー包装袋。
【請求項４】
前記ベーステープに設けた直進カット手段は、ベーステープに行った延伸加工又はミシン目又はレーザー刃又はレーザービームにより加工された切り目からなること、を特徴とする請求項１〜３のいずれか１項に記載のジッパー付ピロー包装袋。
【発明の詳細な説明】
【技術分野】
【０００１】
本発明は、ジッパー付ピロー包装袋において、開封時のカットラインに直進性を付与し、これにより開封したときの体裁を整えるように形成したジッパー付ピロー包装袋において、袋のサイドに形成したＶ又はＩノッチ等の開封開始部の密封性能を高めるように構成したジッパー付ピロー包装袋に関する。
【背景技術】
【０００２】
ジッパー付ピロー包装袋において、その開封を手で引裂くことにより簡単に行うことができるように構成した発明を本件特許出願人は特許第４３３８１７５号として所有している（特許文献１）。
【０００３】
この発明の内容は、ピロー包装袋の合掌張シール部に微細な刻み目を設けてこの合掌張り部を袋の裏面に倒してヒートシールを行い、この倒した合掌張り部の微細な刻み目と対向する袋の側端部にサイドノッチシールを行い、このサイドノッチシール部にＶ又はＩノッチを設けた構成である。
この構成によると、袋のＶ又はＩノッチから引き裂きを行うと、合掌張り部を横断してヨコ方向らの開封を容易に行うことができる。又、前記易開封機能と再封機能を併せ持つジッパーを袋の口内に装着することにより、より利便性の高いジッパー付ピロー包装袋が実用化されているが、このジッパー付の場合、ヨコ方向に引裂き性のないフイルムを使用した場合、ヨコ方向に綺麗に引裂くことができないという問題がある。
この点について、ピロー包装袋に使用するフイルムにヨコ方向の直進カット性のあるフイルムを使用すれば解決できるが、その時は，フイルムが高価になり，又，内容物の保存性に適さない包装材質を使用することとなる。
【０００４】
このことを解決するために、本件出願人は、特顧２０１１−１６７２１５号の出願を行っている（特許文献２）。
【０００５】
この内容は、図７〜１１に示すように、ジッパー４のベーステープ６、７に直進カット性を付与した内容である。
【０００６】
このようなジッパー付ピロー包装袋を製袋する場合、袋１のトップシール１ａとサイドノッチシール１２は同時に行われるが、トップシール１ａは２枚で、サイドノッチシール１２は４枚のフイルム構成であることから、どうしても４枚フイルムの部分のヒートシール性が悪くなり、常に、４枚重ねのジッパー部分のヒートシール性が確実に行われているか否かという不安が付きまとうという問題がある。
【発明の開示】
【発明が解決しようとする課題】
【０００７】
本発明は、斯かる点に鑑みて提供されるものであって、その目的は、特願２０１１−１６７２１５号に係るピロー包装袋において、ピロー包装袋の表裏２枚のフイルムのヒートシールを行うトップシール１ａとフイルム４枚が重なったサイドノッチシール部分を同時にヒートシールする際に、このサイドノッチシール部分の密封性（ヒートシール性）を確実にすることである。
【課題を解決するための手段】
【０００８】
上記目的を達成するため、請求項１に記載の発明は、ジッパー付ピロー包装袋において
合掌張シール部分を袋の裏面においてその中央に位置させると共に前記合掌張シールの先端縁に沿って易開封手段を設け、かつ
前記合掌張シール部分を一方に倒して袋の外面フィルムに全面もしくは、前記易開封手段を間において又は易開封手段を含めてその上下を部分的にヒートシールを行い、かつ
前記合掌張シールが倒された方向の袋の側端にサイドノッチシール部を形成し、このサイドノッチシール部に前記合掌張シール方向に向けてＶ又はＩノッチ等の切り裂き手段を設け、
前記合掌張シールの先端縁に沿って設けた易開封手段と袋の側端縁に形成したサイドノッチシール部が位置する袋の内幅内にジッパーを挿入し、このジッパーのベーステープ部分をそれぞれ袋の内面にヒートシールすると共に、
前記ベーステープの上縁とジッパーの嵌合部間には、前記切り裂き手段から易開封手段が施された合掌張シール部分を横断し、袋の反対側の側端に至るようにカットすることができる直線カット手段が設けられていることを特徴とするジッパー付ピロー包装袋において、
前記ジッパーには、前記サイドノッチシール部に対応する位置に、あらかじめオス条側とメス条側のベーステープを互いにシールしたポイントシール部が形成されていること、
前記切り裂き手段は、サイドノッチシール部において前記ベーステープのポイントシール部分にかかるように設けられていること、を特徴とするものである。
【０００９】
また、請求項２に記載の発明は、請求項１に記載のジッパー付ピロー包装袋において、前記ジッパーのポイントシール部にかかるように引き裂き手段を設け、この引き裂き手段を設けた袋側には前記サイドノッチシールを施こさないこと、を特徴とするものである。
【００１０】
また、請求項３に記載の発明は、請求項１に記載のジッパー付ピロー包装袋において、前記ポイントシール部をベーステープの左右の両端に設けると共にこの左右の両端に設けたポイントシール部にサイドノッチシール部を設けて袋の外観上その左右のバランスをとるように構成したこと、を特徴とするものである。
【００１１】
また、請求項４に記載の発明は、請求項１〜３のいずれか１項に記載のジッパー付ピロー包装袋において、前記ベーステープに設けた直進カット手段は、ベーステープに行った延伸加工又はミシン目又はレーザー刃又はレーザービームにより加工された切り目からなること、を特徴とするものである。
【発明の効果】
【００１２】
本発明によると、ジッパーのベーステープにおいて、あらかじめサイドノッチシール部に対応する位置にポイントシールを施したことにより、このポイントシールの作用によりサイドノッチシール部分においてはポイントシールとサイドノッチシールにより二重に密封されているため、この部分での密封性に不安はなくなり、品質の安定性と生産性を高めることができる。
【図面の簡単な説明】
【００１３】
【図１】（Ａ）、（Ｂ）  本発明に係るジッパー付ピロー包装袋の説明図
【図２】ジッパーの説明図
【図３】ジッパーの製造方法の説明図であって、（Ｂ）はＡ−Ａ’線断面図
【図４】（Ａ）、（Ｂ）  実施例２に係るジッパー付ピロー包装袋の説明図
【図５】（Ａ）、（Ｂ）  ジッパーの説明図
【図６】ジッパーの製造方法の説明図
【図７】（Ａ）、（Ｂ）  特許文献２に係るジッパー付ピロー包装袋の説明図
【図８】Ｂ−Ｂ’線断面図
【図９】Ｃ−Ｃ’線断面図
【図１０】ジッパーの説明図
【図１１】ジッパーの断面図
【発明を実施するための形態】
【実施例１】
【００１４】
請求項１に記載した本願発明の実施例を図１〜３に基づいて詳細に説明する。
【００１５】
図１（Ａ）は、ジッパー付ピロー包装袋の裏面図、（Ｂ）は正面図、図２はジッパーの説明図、図３は、一袋当りのジッパーの製造方法を示し、符号の１はピロー包装袋、２は合掌張り、３は合掌張り２の上部において、先端縁に沿って形成した所謂マジックカットと称される刻み目からなる易開封手段であって、合掌張り２は袋１の一方、図１（Ａ）において左側に倒され、その上で袋１の裏面に易開封手段３を挟んでこの上下部分がヒートシールＡ・Ｂされている。
【００１６】
このヒートシールＡ・Ｂは、ホットメルト等の接着材を用いて行われ、かつヒートシール領域は易開封手段３の上下のＡ、Ｂ領域でも良いが、更にこれに易開封手段３の部分を含むＡ、Ｂ、Ｃ領域としても良い。
【００１７】
なお、この易開封手段３は、Ｉ又はＶノッチ等としても良い。
【００１８】
４は袋１の開封口側に挿入したジッパーであって、このジッパー４は、図２に示すようにオス条側ベーステープ６とメス条側ベーステープ７からなり、このジッパー４において、咬合部５よりトップシール１ａ側は幅広に形成されていると共に特許文献２の内容である延伸又は溝、又はミシン目等の直進カット手段が施されている（請求項４）。
【００１９】
１０はジッパー４において、図２に示すようにオス条とメス条側の双方のベーステープ６、７の一端側をあらかじめヒートシールして形成したポイントシール部であって、このポイントシール部１０は、図１（Ａ）、（Ｂ）において、袋１の合掌張り２を倒した方向であって、易開封手段３と対向する位置に配置され、袋１内にはサイドノッチシール１２を行うときに、これと一緒にヒートシールされる。
【００２０】
１３はサイドノッチシール１２において、ジッパー４側のポイントシール部１０にかかるように設けられたＶノッチ（サイドノッチ）である。
【００２１】
上記ジッパー４は、図３に示すようにオス条側とメス条を咬合させた長尺のベーステープ６、７を袋１の内幅Ｈに合わせてポイントシール部１０を外したところでカットし、このカットしたジッパー４を製袋工程において袋１の原反フィルムの内面の中央に位置させたのち、原反フィルムにそれぞれヒートシールすることで取り付けられる。
【００２２】
以上のとおり、本実施例１において、ジッパー４にはあらかじめポイントシール１０が施されているため、サイドノッチシール１２部分はトップシール１ａの部分の２枚のフィルムに対して４枚のフィルムが同時進行でヒートシールされるが、このサイドノッチシール１２部分において仮にヒートシールが不十分であっても、ポイントシール１０によりその密封性が確保される。
実施例１のフィルム構成は次のとおりである。
（１）本体フイルム構成
OPP＃25／印刷／接着剤／CPP＃30
0PP  ：フタムラ化学株式会社製  FOR−AQ
印刷インキ：東洋インキ株式会社製  ファインスター
接着剤  ：東洋モートン株式会社製  ドライラミネート用接着剤  TM314
CPP  ：フタムラ化学株式会社製  FHK2
（２）ジッパーテ一プ構成
CPP＃40／接着剤／PET＃12／接着剤／CPP＃40
CPP  ：フタムラ化学株式会社製  FHK2
接着材：東洋モートン株式会社製  ドライラミネート用接着剤  TM250
PET  ：ユニチカ株式会社製  PET−PC
接着材：東洋モートン株式会社製  ドライラミネート用接着剤  TM250
CPP  ：フタムラ化学株式会社製  FHK2
【実施例２】
【００２３】
本実施例２は、請求項３に記載した発明に対応しており、図４（Ａ）、（Ｂ）及び図５（Ａ）に示すように、ポイントシール１０を両端に設け、サイドノッチシール１２も図４（Ａ）、（Ｂ）に示すようにこのポイントシール１０、１０ａの部分において袋１の両サイドに形成し、外観上左右のバランスをとったものである。
【００２４】
但し、ポイントシール１０ａ側にはサイドノッチ１３は設けられていない。
実施例２のフィルムの構成は次のとおりである。
（１）本体フイルム構成
OPP＃25／印刷／接着剤／CPP＃30
0PP    ：フタムラ化学株式会社製  FOR−AQ
印刷インキ：東洋インキ株式会社製  ファインスター
接着剤  ：東洋モートン株式会社製  ドライラミネ一ト用接着剤  TM314
CPP    ：フタムラ化学株式会社製  FHK2
（２）ジッパーテープ構成
CPP＃40／接着剤／PET＃12／接着剤／CPP＃40
CPP  二フタムラ化学株式会剋二製  FHK2
接着材：東洋モートン株式会社製  ドライラミネート用接着剤  TM250
PET  ：ユニチカ株式会社製  PET−PC
接着材：東洋モートン株式会社製  ドライラミネート用接着剤  TM250
CPP  ：フタムラ化学株式会社型  FHK2
【実施例３】
【００２５】
本実施例３は、請求項２に記載した発明に対応しており、本実施例３の特徴は、ジッパー４側にはポイントシール部１０は形成されているが、袋１側には実施例１、２のようなサイドノッチシール部１２は形成されていない。
【００２６】
但し、Ｖノッチ１３は、袋１の外からジッパー４のポイントシール部１０にかけて設けられていて、ここから開封を行うものであるが、袋１の内面とジッパー４側のベーステープ６と７はポイントシール部１０においてもヒートシールされているため、密封性は確保されている。
【００２７】
この場合のジッパー４は、図６に示すように、長尺のジッパー４のベーステープ６と７にポイントシール１０、１０ａを同一ピッチで施し、この中央で袋１の内幅Ｇに合わせてカットを行い、両端にポイントシール部１０、１０ａを形成し、これを実施例１と同じように原反フィルムの中央にヒートシールして取り付けられる。
【符号の説明】
【００２８】
１  袋
２  合掌張り
３  易開封手段
４  ジッパー
５  咬合部
６  ベーステープ
７  ベーステープ
１０  ポイントシール
１０ａ  ポイントシール
１２  サイドノッチシール
１３  サイドノッチ
【図１】
2014069880.tif 000003
【図２】
2014069880.tif 000004
【図３】
2014069880.tif 000005
【図４】
2014069880.tif 000006
【図５】
2014069880.tif 000007
【図６】
2014069880.tif 000008
【図７】
2014069880.tif 000009
【図８】
2014069880.tif 000010
【図９】
2014069880.tif 000011
【図１０】
2014069880.tif 000012
【図１１】
2014069880.tif 000013